(57)【要約】【課題】本発明は、暗渠型の側溝あるいはＵ字溝など上部開放型の側溝の接続工事後、上方からなど垂直方向へ何らかの応力が生じ、接続箇所が変形したとしても欠損することがなく、また、敷設した側溝に何らかの横方向の応力が働き、欠傷してしまうことのない先端辺接触欠け防止突起付き側溝用製品を提供することを目的とする。【解決手段】本発明は、先端辺接触欠け防止突起付き側溝用製品であって、接続して暗渠型側溝あるいは上方開放型側溝が形成される複数の側溝用製品であって、長手方向両側接続端面上縁部に、前記接続端面の幅方向の箇所より突出する接続端面先端辺接触欠け防止突起が突き合わせ状態となるよう各々設けられ、側溝敷設形成後の側溝用製品接続箇所に対する垂直方向への応力あるいは側方からの幅方向への応力による接続端面先端辺の接触欠けが阻止可能とされた、ことを特徴とする。【選択図】          図１
2005256324.tif 000002
【特許請求の範囲】
【請求項１】
接続して暗渠型側溝あるいは上方開放型側溝が形成される複数の側溝用製品であって、
該側溝用製品の長手方向両側接続端面上縁部に、前記接続端面の幅方向の箇所より突出する０．５ｍｍ乃至２．５ｍｍの長さを有する接続端面先端辺接触欠け防止突起が突き合わせ状態となるよう各々設けられ、あるいは該側溝用製品の長手方向一方側接続端面上縁部に、前記接続端面の幅方向の箇所より突出する１ｍｍ乃至５ｍｍの長さを有する接続端面先端辺接触欠け防止突起が設けられ、
側溝敷設形成後の側溝用製品接続箇所に対する垂直方向への応力あるいは側方からの幅方向への応力による接続端面先端辺の接触欠けが阻止可能とされた、
ことを特徴とする先端辺接触欠け防止突起付き側溝用製品。
【請求項２】
接続して暗渠型側溝あるいは上方開放型側溝が形成される複数の側溝用製品であって、
該側溝用製品の長手方向両側接続端面上縁部に、少なくとも前記接続端面の幅方向略両側２箇所より突出する０．５ｍｍ乃至２．５ｍｍの長さを有する接続端面先端辺接触欠け防止突起が突き合わせ状態となるよう各々設けられ、あるいは、側溝用製品の長手方向一方側接続端面上縁部に、少なくとも前記接続端面の幅方向略両側２箇所より突出する１ｍｍ乃至５ｍｍの長さを有する接続端面先端辺接触欠け防止突起が設けられ、
側溝敷設形成後の側溝用製品接続箇所に対する垂直方向への応力あるいは側方からの幅方向への応力による接続端面先端辺の接触欠けが阻止可能とされた、
ことを特徴とする先端辺接触欠け防止突起付き側溝用製品。
【請求項３】
接続して暗渠型側溝あるいは上方開放型側溝が形成される複数の側溝用製品であって、
該側溝用製品の長手方向両側接続端面上縁部に、前記接続端面の幅方向の箇所より突出する０．５ｍｍ乃至２．５ｍｍの長さを有する接続端面先端辺接触欠け防止突起が突き合わせ状態となるよう各々設けられ、あるいは該側溝用製品の長手方向一方側接続端面上縁部に、前記接続端面の幅方向の箇所より突出する１ｍｍ乃至５ｍｍの長さを有する接続端面先端辺接触欠け防止突起が設けられ、
側溝敷設形成後、側溝用製品の接続箇所に対する垂直方向への応力あるいは側方からの幅方向への応力による接続端面先端辺の接触欠けが阻止可能とされ、
前記接続端面の先端辺接触欠け防止突起が設けられていない面には、前記先端辺接触欠け防止突起の突出長より厚みを有するゴムパッキン状の気密部材が周回して取り付けられた、
ことを特徴とする先端辺接触欠け防止突起付き側溝用製品。
【請求項４】
接続して暗渠型側溝あるいは上方開放型側溝が形成される複数の側溝用製品であって、
該側溝用製品の長手方向両側接続端面上縁部に、少なくとも前記接続端面の幅方向略両側２箇所より突出する０．５ｍｍ乃至２．５ｍｍの長さを有する接続端面先端辺接触欠け防止突起が突き合わせ状態となるよう各々設けられ、あるいは、側溝用製品の長手方向一方側接続端面上縁部に、少なくとも前記接続端面の幅方向略両側２箇所より突出する１ｍｍ乃至５ｍｍの長さを有する接続端面先端辺接触欠け防止突起が設けられ、
側溝敷設形成後の側溝用製品接続箇所に対する垂直方向への応力あるいは側方からの幅方向への応力による接続端面先端辺の接触欠けが阻止可能とされ、
前記接続端面の先端辺接触欠け防止突起が設けられていない面には、先端辺接触欠け防止突起の突出長より厚みを有するゴムパッキン状の気密部材が周回して取り付けられた、
ことを特徴とする先端辺接触欠け防止突起付き側溝用製品。
【発明の詳細な説明】
【技術分野】
【０００１】
本発明は例えば暗渠型側溝あるいはＵ字溝など上部開放型側を形成する側溝用コンクリート製品に係り、特に当該側溝用コンクリート製品接続端面に先端辺接触欠け防止突起が形成された側溝用製品に関するものである。
【背景技術】
【０００２】
従来、暗渠型側溝あるいはＵ字溝など上部開放型側溝を形成するには、当該側溝用のコンクリート製品を大量生産し、該側溝用のコンクリート製品を敷設接続して側溝を形成するものとしていた。
【０００３】
ここで従来より、当該側溝用コンクリート製品の接続に際しては、接続すべき一方の側溝用コンクリート製品の接続端面には凹部を形成すると共に、接続すべき他方の側溝用コンクリート製品の接続端面には前記凹部に嵌り込む凸部を形成し、この凹部と凸部によって接続を確実に行うとの側溝用コンクリート製品の接続構造は一般に知られている。
【０００４】
【特許文献１】特開２００２−１９４８０６
【発明の開示】
【発明が解決しようとする課題】
【０００５】
しかしながら、上記側溝用コンクリート製品の接続構造では、長年の使用により前記側溝用コンクリート製品の接続箇所に上方からあるいは側方から荷重がかかったり、地盤の沈下により「く」の字状に変形して側溝用コンクリート製品の接続端面先端辺上部が競り合い、前記先端辺上部が接触して欠損することなどの支障があった。
【０００６】
また、敷設した側溝に何らかの横方向の力が働き、これにより接続してある接続端面の先端辺側部が競り合い、前記接続端面の先端辺側部が接触して欠傷してしまうこともあった。
【０００７】
しかして、このような欠損が生じたとき、当初はそれほどの欠損ではなくとも、長年の使用により次第にそれら欠損箇所が大きくなり、ひいてはその箇所の側溝用コンクリート製品を交換しなければならない場合が生じる。
【０００８】
しかし、その敷設接続されている側溝用コンクリート製品を前記埋設箇所から取り出して交換することは、きわめて面倒な作業となると共に、作業コストも上昇してしまうとの課題があった。
【０００９】
かくして、本発明は前記従来の課題に対処すべく創案されたものであって、暗渠型の側溝あるいはＵ字溝など上部開放型の側溝の接続工事を行った後、たとえ上方からなど垂直方向へ何らかの応力が生じ、また地盤沈下が生じて接続箇所が「く」の字状に変形したとしても側溝用コンクリート製品の接続端面先端辺上部が競り合い、前記先端辺上部が接触して欠損することがなく、また、敷設した側溝に何らかの横方向の応力が働き、これにより接続してある接続端面の先端辺側部が競り合い、前記接続端面の先端辺側部が接触して欠傷してしまうことのない先端辺接触欠け防止突起付き側溝用製品を提供することを目的とするものである。
【課題を解決するための手段】
【００１０】
本発明による先端辺欠け防止突起付き側溝用製品は、
接続して暗渠型側溝あるいは上方開放型側溝が形成される複数の側溝用製品であって、
該側溝用製品の長手方向両側接続端面上縁部に、前記接続端面の幅方向の箇所より突出する０．５ｍｍ乃至２．５ｍｍの長さを有する接続端面先端辺接触欠け防止突起が突き合わせ状態となるよう各々設けられ、あるいは該側溝用製品の長手方向一方側接続端面上縁部に、前記接続端面の幅方向の箇所より突出する１ｍｍ乃至５ｍｍの長さを有する接続端面先端辺接触欠け防止突起が設けられ、
側溝敷設形成後の側溝用製品接続箇所に対する垂直方向への応力あるいは側方からの幅方向への応力による接続端面先端辺の接触欠けが阻止可能とされた、
ことを特徴とし、
または、
接続して暗渠型側溝あるいは上方開放型側溝が形成される複数の側溝用製品であって、
該側溝用製品の長手方向両側接続端面上縁部に、少なくとも前記接続端面の幅方向略両側２箇所より突出する０．５ｍｍ乃至２．５ｍｍの長さを有する接続端面先端辺接触欠け防止突起が突き合わせ状態となるよう各々設けられ、あるいは、側溝用製品の長手方向一方側接続端面上縁部に、少なくとも前記接続端面の幅方向略両側２箇所より突出する１ｍｍ乃至５ｍｍの長さを有する接続端面先端辺接触欠け防止突起が設けられ、
側溝敷設形成後の側溝用製品接続箇所に対する垂直方向への応力あるいは側方からの幅方向への応力による接続端面先端辺の接触欠けが阻止可能とされた、
ことを特徴とし、
または、
接続して暗渠型側溝あるいは上方開放型側溝が形成される複数の側溝用製品であって、
該側溝用製品の長手方向両側接続端面上縁部に、前記接続端面の幅方向の箇所より突出する０．５ｍｍ乃至２．５ｍｍの長さを有する接続端面先端辺接触欠け防止突起が突き合わせ状態となるよう各々設けられ、あるいは該側溝用製品の長手方向一方側接続端面上縁部に、前記接続端面の幅方向の箇所より突出する１ｍｍ乃至５ｍｍの長さを有する接続端面先端辺接触欠け防止突起が設けられ、
側溝敷設形成後、側溝用製品の接続箇所に対する垂直方向への応力あるいは側方からの幅方向への応力による接続端面先端辺の接触欠けが阻止可能とされ、
前記接続端面の先端辺接触欠け防止突起が設けられていない面には、前記先端辺接触欠け防止突起の突出長より厚みを有するゴムパッキン状の気密部材が周回して取り付けられた、
ことを特徴とし、
または、
接続して暗渠型側溝あるいは上方開放型側溝が形成される複数の側溝用製品であって、
該側溝用製品の長手方向両側接続端面上縁部に、少なくとも前記接続端面の幅方向略両側２箇所より突出する０．５ｍｍ乃至２．５ｍｍの長さを有する接続端面先端辺接触欠け防止突起が突き合わせ状態となるよう各々設けられ、あるいは、側溝用製品の長手方向一方側接続端面上縁部に、少なくとも前記接続端面の幅方向略両側２箇所より突出する１ｍｍ乃至５ｍｍの長さを有する接続端面先端辺接触欠け防止突起が設けられ、
側溝敷設形成後の側溝用製品接続箇所に対する垂直方向への応力あるいは側方からの幅方向への応力による接続端面先端辺の接触欠けが阻止可能とされ、
前記接続端面の先端辺接触欠け防止突起が設けられていない面には、先端辺接触欠け防止突起の突出長より厚みを有するゴムパッキン状の気密部材が周回して取り付けられた、
ことを特徴とするものである。
【発明の効果】
【００１１】
本発明による先端辺接触欠け防止突起付き側溝用製品であれば、暗渠型の側溝あるいはＵ字溝など上部開放型の側溝の接続工事を行った後、たとえ上方からなど垂直方向からの応力が生じ、また地盤沈下が生じて接続箇所が「く」の字状に変形したとしても側溝用コンクリート製品の接続端面先端辺上部が競り合い、前記先端辺上部が接触して欠損することがなく、また、敷設した側溝に何らかの横方向の応力が働いたとしても、これにより接続してある接続端面の先端辺側部が競り合い、前記接続端面の先端辺側部が接触して欠傷してしまうことがないとの優れた効果を奏する。
【発明を実施するための最良の形態】
【００１２】
以下本発明を図に示す実施例に基づいて説明する。
【実施例１】
【００１３】
図１は暗渠型側溝あるいはＵ字溝など上部開放型側溝を形成すべく、側溝用コンクリート製品１，１を接続した状態を説明する説明図である。
【００１４】
当該側溝用コンクリート製品１の外観形状については何ら限定されるものではなく、暗渠型すなわちボックスカルバート状の側溝用コンクリート製品１（図７，図８、図１１，図１２参照）であってもよいし、Ｕ字溝状の側溝用コンクリート製品１であっても構わないし（図１０参照）、また上壁に長手方向に向かい直線状のスリットが設けられ、内部の中空部と外部とを連通し、外部からの雨水を該スリットによって内部中空部に取り込むスリット型側溝用コンクリート製品１（図９参照）であっても構わない。
【００１５】
ところで、たとえば車道の両脇などに側溝を敷設形成する場合、大量数の側溝用コンクリート製品１，１を長手方向へ接続して側溝を敷設形成する。
【００１６】
しかし、その後に側溝用コンクリート製品１，１の接続箇所に対する垂直方向への応力が長期間にわたって生じることがある。その原因としては車道を走行する大量の車両重量があげられる。
【００１７】
また、地盤の沈下によっても同様の事態が生じ、前記接続箇所が「く」の字状に変形することがある。
【００１８】
しかして、本発明では、たとえこのような事態が生じたとしても前記接続端面３，３の先端辺上部が互いに競り合うことがなく、前記先端辺上部が接触欠損することが全くない側溝用コンクリート製品１を提案するものである。
【００１９】
さらに、接続端面３，３上縁部で、なおかつ幅方向両側位置に先端辺接触欠け防止突起２，２を設ければ、側方からの幅方向への応力が働いたとしても接続端面先端辺側部での接触欠けが阻止出来るのである。
【００２０】
ここで、本発明における側溝用コンクリート製品１の長手方向両側接続端面３，３の上縁部には、少なくとも前記接続端面３，３の幅方向いずれかの箇所より突出する０．５ｍｍ乃至２．５ｍｍの長さを有する接続端面３の先端辺接触欠け防止突起２，２が突き合わせ状態となるよう各々設けられている。
【００２１】
前述のように、接続すべき隣り合う接続端面３，３の双方に先端辺接触欠け防止突起２が突き合わせ状態で設けられる場合には、その突き合わせの状態において双方の先端辺接触欠け防止突起２、２の長さを足して１ｍｍ乃至５ｍｍの長さであることを要する。
【００２２】
次に、側溝用コンクリート製品１の長手方向一方側の接続端面３にのみ、その上縁部に、やはり少なくとも前記接続端面３の幅方向いずれかの箇所より突出する１ｍｍ乃至５ｍｍの長さを有する接続端面３の先端辺接触欠け防止突起２が設けられることがある。
【００２３】
この場合は、側溝用コンクリート製品１の長手方向一方側接続端面３にのみ設けられるので、その突起の高さも前記の２倍となっている。
【００２４】
ここで、接続端面３の上縁部幅方向の１箇所中央位置に先端辺接触欠け防止突起２が設けられた具体例として図７の三段目の図、図１１の三段目の図に示してある。
次に、側溝用コンクリート製品１の長手方向両側接続端面３３における上縁部に、少なくとも前記接続端面３，３の幅方向略両側の２箇所部分より突出する０．５ｍｍ乃至２．５ｍｍの長さを有する接続端面１の先端辺接触欠け防止突起２，２が突き合わせ状態となるよう各々設けられている。
ここで、前記と同様に、接続すべき隣り合う接続端面３，３の双方に先端辺接触欠け防止突起２が突き合わせ状態で設けられる場合には、その突き合わせの状態において双方の先端辺接触欠け防止突起２、２の長さを足して１ｍｍ乃至５ｍｍの長さであることを要することとなる。
次に、側溝用コンクリート製品１の長手方向一方側のみの接続端面３上縁部に先端辺接触欠け防止突起２が設けられる場合には、少なくとも前記接続端面３，３の幅方向略両側の２箇所部分より突出する１ｍｍ乃至５ｍｍの長さを有する先端辺接触欠け防止突起２が設けられる。
この場合も前記と同様に、側溝用コンクリート製品１の長手方向一方側接続端面３にのみ先端辺接触欠け防止突起２が設けられるので、その突起高さも２倍となって１ｍｍ乃至５ｍｍの長さとなっている。
【００２５】
このように、先端辺接触欠け防止突起２が設けられた具体例としては図７の一段目、二段目の図、図８の一段目、二段目の図、図９、図１０の図、図１１の一段目、二段目の図、図１２の一段目、二段目の図に各々示してある。
【００２６】
なお、図８の三段目、図１２の三段目の様に、両側及び中央部分の３箇所に先端辺接触欠け防止突起２を設けても構わない。
【００２７】
次に、図７乃至図１２から理解されるように、接続端面３において先端辺接触欠け防止突起２が設けられていない面の部分には、前記先端辺接触欠け防止突起２の突出長より厚みを有するゴムパッキン状の気密部材４が周回して取り付けられている。
【００２８】
しかして、接続の際には、相互の接続端面３，３が押圧されて前記接続端面３，３の双方にあるいは一方に周設された気密部材４が圧密されることとなり、当該接続部での良好な気密性が保持できるものとなる。
【００２９】
ここで、前記したように、隣り合う側溝用コンクリート製品１，１の接続端面３，３上縁部に前記先端辺接触欠け防止突起２が設けられているため、側溝用コンクリート製品１を接続して側溝を敷設後、該側溝用コンクリート製品１，１の接続箇所に対する垂直方向への応力が生じたりあるいは地盤の沈下により「く」の字状に変形したりしても前記接続端面３，３の先端辺上部が互いに競り合うことがなく、前記先端辺上部が接触欠損することが全くないものとなる。
【００３０】
さらに、接続端面３，３上縁部の幅方向両側に先端辺接触欠け防止突起２，２を設ければ、たとえ側方からの幅方向への応力が働いたとしても接続端面先端辺側部の接触欠けが阻止出来るものとなる。
【図面の簡単な説明】
【００３１】
【図１】本発明による側溝用コンクリート製品の接続状態を説明する構成説明図である。
【図２】本発明による側溝用コンクリート製品のく字状に陥没した接続状態を説明する構成説明図（その１）である。
【図３】本発明による側溝用コンクリート製品のく字状に陥没した接続状態を説明する構成説明図（その２）である。
【図４】本発明による側溝用コンクリート製品のく字状に陥没した接続状態を説明する構成説明図（その３）である。
【図５】本発明による側溝用コンクリート製品の接続状態を説明する平面図である。
【図６】本発明による側溝用コンクリート製品の接続箇所が側方からの応力でく字状に折れ曲がった状態を説明する説明図である。
【図７】本発明によ暗渠型コンクリート製品の接続端面の構成を説明する構成説明図（その１）である。
【図８】本発明によ暗渠型コンクリート製品の接続端面の構成を説明する構成説明図（その２）である。
【図９】本発明によスリット型コンクリート製品の接続端面の構成を説明する構成説明図である。
【図１０】本発明によコンクリート製Ｕ字溝の接続端面の構成を説明する構成説明図である。
【図１１】本発明によ暗渠型コンクリート製品の接続端面の構成を説明する構成説明図（その３）である。
【図１２】本発明によ暗渠型コンクリート製品の接続端面の構成を説明する構成説明図（その４）である。
【図１３】従来例の構成説明図である。
【符号の説明】
【００３２】
１    側溝用コンクリート製品  
２    先端辺接触欠け防止突起
３    接続端面
４    気密部材  
【図１】
2005256324.tif 000003
【図２】
2005256324.tif 000004
【図３】
2005256324.tif 000005
【図４】
2005256324.tif 000006
【図５】
2005256324.tif 000007
【図６】
2005256324.tif 000008
【図７】
2005256324.tif 000009
【図８】
2005256324.tif 000010
【図９】
2005256324.tif 000011
【図１０】
2005256324.tif 000012
【図１１】
2005256324.tif 000013
【図１２】
2005256324.tif 000014
【図１３】
2005256324.tif 000015